(57)【特許請求の範囲】
【請求項１】
人体の腹側に位置する腹側部と背側に位置する背側部とを有する本体部と、
前記背側部の一側方から延出し人体の腹部に巻きつけられるベルト部と、
前記背側部の他側方において前記ベルト部の先端部内面を止着させて固定する固定部と、
を備えた吸収性物品において、
前記ベルト部は、
前記腹側部の両側端部をそれぞれ止着させる第１腹側部止着部及び第２腹側部止着部と、前記第１腹側部止着部及び前記第２腹側部止着部より基端側に位置する第１基端部と、を備え、
前記固定部は、
前記ベルト部を止着させるベルト止着部と、前記ベルト止着部より基端側に位置する第２基端部と、を備え、
前記腹側部が前記ベルト部に止着された際に、前記腹側部と前記固定部は互いに重ならないように設けられ、
前記ベルト部における前記第１基端部と、前記固定部における前記第２基端部と、の少なくとも一方は、伸縮自在となっていることを特徴とする吸収性物品。
【請求項２】
前記固定部は、伸縮部材により構成されていることを特徴とする請求項１に記載の吸収性物品。
【請求項３】
前記ベルト部は、伸縮部材により構成されていることを特徴とする請求項１又は２に記載の吸収性物品。
【請求項４】
前記ベルト部及び前記固定部は、前記本体部の外面に設置されていることを特徴とする請求項１〜３の何れか一項に記載の吸収性物品。
【請求項５】
前記ベルト部は、人体に装着した際に、装着者の左手側に位置するように備えられていることを特徴とする請求項１〜４の何れか一項に記載の吸収性物品。
【発明の詳細な説明】
【技術分野】
【０００１】
本発明は、吸収性物品に関する。
【背景技術】
【０００２】
従来、吸収性物品の一つとして使い捨ての紙おむつが知られている。使い捨ての紙おむつとしては、パンツ型及びテープ式紙おむつが知られている。
このうちテープ式紙おむつには、人体の腹側に位置する腹側部と背側に位置する背側部とを有する本体部を備え、背側部の一方の側部からベルト状の止着部（ベルト部）を延在させるとともに、他方の側部にベルト部を挿し通し固定するスリット部を設け、装着に際しては、背側部を人体にあてがった状態でベルト部を腹部に巻きつけてスリット部に固定し、その後、おむつの腹側部を、股間を通して腹部側に持ち込み、おむつの腹側部内面を背側部に止着する構成の紙おむつが提案されている（例えば、特許文献１参照。）。
こうした構成とすることにより、締め付け調整から止着までを一度の作業で行うことができ、装着作業を容易にすることが可能である。
【先行技術文献】
【特許文献】
【０００３】
【特許文献１】特開２００８−７９７３９号公報
【発明の概要】
【発明が解決しようとする課題】
【０００４】
しかしながら、上記特許文献１に記載された紙おむつは、ベルト部をスリットに通して折り返した後、折り返し部位よりも先端側の部分に設けられた止着材を、折り返し部位よりも基端側の部分に固定し、さらに腹側部の内面を背側部の外面又はベルト部に固定するものであるため、一旦固定した後は締め付け調整を行うことができず装着感が悪いという問題があった。
【０００５】
本発明の課題は、ベルト部を有するテープ式の吸収性物品において、着用時の装着感をより向上させることである。
【課題を解決するための手段】
【０００７】
請求項１に記載の発明は、
人体の腹側に位置する腹側部と背側に位置する背側部とを有する本体部と、
前記背側部の一側方から延出し人体の腹部に巻きつけられるベルト部と、
前記背側部の他側方において前記ベルト部の先端部内面を止着させて固定する固定部と、
を備えた吸収性物品において、
前記ベルト部は、
前記腹側部の両側端部をそれぞれ止着させる第１腹側部止着部及び第２腹側部止着部と、前記第１腹側部止着部及び前記第２腹側部止着部より基端側に位置する第１基端部と、を備え、
前記固定部は、
前記ベルト部を止着させるベルト止着部と、前記ベルト止着部より基端側に位置する第２基端部と、を備え、
前記腹側部が前記ベルト部に止着された際に、前記腹側部と前記固定部は互いに重ならないように設けられ、
前記ベルト部における前記第１基端部と、前記固定部における前記第２基端部と、の少なくとも一方は、伸縮自在となっていることを特徴とする。
【０００８】
請求項２に記載の発明は、請求項１に記載の吸収性物品において、
前記固定部は、伸縮部材により構成されていることを特徴とする。
【０００９】
請求項３に記載の発明は、請求項１又は２に記載の吸収性物品において、
前記ベルト部は、伸縮部材により構成されていることを特徴とする。
【００１０】
請求項４に記載の発明は、請求項１〜３の何れか一項に記載の吸収性物品において、
前記ベルト部及び前記固定部は、前記本体部の外面に設置されていることを特徴とする。
【００１１】
請求項５に記載の発明は、請求項１〜４の何れか一項に記載の吸収性物品において、
前記ベルト部は、人体に装着した際に、装着者の左手側に位置するように備えられていることを特徴とする。
【発明の効果】
【００１２】
本発明によれば、第１基端部と第２基端部との少なくとも一方は伸縮自在となっているため、一旦固定した後も吸収性物品は人体に合わせて伸縮することとなり、着用時の装着感をより向上させることができる。
【図面の簡単な説明】
【００１３】
【図１】第１実施形態の紙おむつの表面シートを上面にして展開した平面展開図である。
【図２】図１の紙おむつの裏面シートを上面にして展開した平面展開図である。
【図３】図１のIII−III線における断面図である。
【図４】図１の紙おむつの装着方法を説明するための斜視図である。
【図５】図１の紙おむつのベルト部及び固定部を示す拡大模式図である。
【図６】第２実施形態の紙おむつの裏面シートを上面にして展開した平面展開図である。
【図７】図６の紙おむつのベルト部及び固定部を示す拡大模式図である。
【発明を実施するための形態】
【００１４】
以下、本発明の実施の形態を、図面を参照しながら詳細に説明する。但し、発明の範囲は図示例に限られない。
【００１５】
［第１実施形態］
本実施形態における吸収性物品として使い捨て紙おむつ（以下、紙おむつという。）１を例示して説明する。
【００１６】
図１、２に示すように、紙おむつ１は、紙おむつ本体である本体部１０と、本体部１０の後方を人体の背側に装着するためのベルト状のベルト部２０と、ベルト部２０の先端を固定するための固定部３０と、等を備えて構成されている。
【００１７】
本体部１０は、一方の端部が人体の腹側に位置する腹側部１１を形成し、他方の端部が人体の背側に位置する背側部１２を形成し、腹側部１１と背側部１２との間が人体の股下に位置する股下部１３を形成する。
また、股下部１３の両縁部は、腹側部１１から背側部１２に亘って、装着時に人体の脚周りを囲む脚周り部１４、１４を形成する。この脚周り部１４、１４には、着用時に人体の脚周りに沿うよう糸ゴム等の弾性部材１４１がそれぞれ設けられており、本体部１０は、この弾性部材１４１により平面ギャザーが形成されて、着用時に人体の脚周りに伸縮自在にフィットし、体液の横漏れを防止するようになっている。
なお、背側部１２の胴周り方向（Ｘ方向）に沿った縁部中央に弾性部材を設け、背側部１２が着用者の胴周りにフィットするように平面ギャザーを形成することとしても良い。
【００１８】
腹側部１１の内面の両側部には、第１フックテープ１１１、第２フックテープ１１２が備えられている。第１フックテープ１１１、第２フックテープ１１２は、それぞれ、紙おむつ１の装着時において、固定部３０の伸縮部３１ｂ、ベルト部２０の伸縮部２１ｂに接合される。なお、この第１フックテープ１１１、第２フックテープ１１２としては、公知の種々のものを利用することが可能であるが、フック状突起としては、例えば、公知のキノコ状、Ｊ字状のもの等を採用することができる。
【００１９】
また、本体部１０は、図３に示すように、装着時に人体との接触面側に設けられる透液性の不織布からなるトップシート１０ａと、装着時に人体との接触面と反対側の外部側に設けられる不透液性のバックシート１０ｂと、トップシート１０ａとバックシート１０ｂとの間に介装される吸収体１０ｃと、トップシート１０ａ側の吸収体１０ｃの両側部に、本体部１０の長手方向に沿って備えられるギャザーシート１０ｄ、１０ｄと、により主に構成される。
【００２０】
トップシート１０ａは、紙おむつ１を装着した際に人体に接する面に設けられ、体液を受けて、吸収体１０ｃまで輸送する役割を果たす、透液性のシートである。
透液性シートとしては、例えば、ナイロン、ポリエチレンテレフタレート等の糸を平織り等したネット状のシート素材、多数の透孔を形成したフィルムシート材、ポリエチレンやポリプロピレン等のフィルムシート材、透液性を有する織布、不織布が適し、特に不織布が適する。不織布としては、ポリエチレンまたはポリプロピレン等のオレフィン系、ポリエステル系、ポリアミド系等の合成繊維、レーヨンやキュプラ等の再生繊維、綿等の天然繊維を繊維素材として、スパンレース法、スパンボンド法、サーマルボンド法、メルトブローン法、ニードルパンチ法等の適宜の加工法によって加工したものを用い得る。
【００２１】
バックシート１０ｂは、紙おむつ１を装着した際に人体に接する面と反対側の面に設けられ、体液などの紙おむつ１外部への染み出し、漏れ出しを防ぐ役割を果たす、不透液性のシートである。
不透液性シートとしては、例えば、ポリエチレンやポリプロピレン等の少なくとも遮水性を有するシート材であって、ムレ防止の観点から透湿性を有するシート材であることが好ましい。この遮水性と透湿性とを具備するシート材としては、例えば、ポリエチレンやポリプロピレン等のオレフィン系樹脂中に無機充填剤を溶融混練してシートを成形した後、一軸または二軸方向に延伸することにより得られる微多孔性シート材が好適に用いられる。
またその他にも、不透液性を有するフィルム層と、通気性を有する不織布層からなるラミ不織布を用いても良い。ラミ不織布とは、例えばポリエチレンシート等に不織布を積層した、ラミネート不織布と呼ばれる不織布のことであり、不透液性と通気性を併せ持つ不織布である。
【００２２】
吸収体１０ｃは、例えば、綿やパルプ等の吸収性素材や、繊維或いはフィルム等のシート状基材と高吸収性ポリマーのような高吸水性樹脂とが組み合わされて形成された吸収体コア（図示略）が、透液性のクレープ紙、不織布、孔開きシート（図示略）等により覆われて構成されている。
高吸水性樹脂としては、カルボキシメチルセルロース、ポリアクリル酸およびその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨欄性ポリマーを部分架橋したもの、あるいはイソブチレンとマレイン酸との共重合体等が好適に用いられる。
吸収体１０ｃは、単層構造であっても良いし、複数層に分かれた構造でも構わない。吸収体１０ｃは、人体の腹側部１１から両脚の間の股下部１３を通り背側部１２に亘る位置に装着されている。
【００２３】
ギャザーシート１０ｄ、１０ｄは、トップシート１０ａ側において、吸収体１０ｃの長手方向に沿った両側部に、腹側部１１から背側部１２に亘ってそれぞれ備えられている。
図３に示すように、このギャザーシート１０ｄ、１０ｄの幅方向外側の部分は、吸収体１０ｃの側方においてバックシート１０ｂの上面と弾性部材１４１を挟みつつ固着されている。
また、このギャザーシート１０ｄ、１０ｄの幅方向内側の部分は、トップシート１０ａに固定されておらず内側に折り返され、当該折り返し部分に長手方向に沿って複数の糸ゴム等の弾性部材１４３が略平行に備えられることで、左右が対向するよう立ち上がり、着用者の体型に合わせて伸縮自在に変形可能な立体ギャザーが形成されている。
なお、このギャザーシート１０ｄ、１０ｄは、バックシート１０ｂと同様に不透液性のシートにより形成されている。
【００２４】
ベルト部２０は、背側部１２の一側方１２Ｌから延出し、装着時には、人体の腹部に巻きつけられて背側部１２の他側方１２Ｒに設けられた固定部３０にその先端部内面を止着するよう構成されている。なお、本実施形態においては、ベルト部２０は、人体に装着した際に、装着者の左手側に位置するように設けられている。
【００２５】
このベルト部２０は、Ｘ方向に沿って延在する帯状の基材シート２１を備えている。
基材シート２１は、例えば、所定幅を有し長尺な複層の不織布等により形成されている。
具体的には、基材シート２１は、上記したトップシート１０ａやバックシート１０ｂと同様の種々の素材を使用することができるが、加工法としては強度特性に優れたスパンボンドが好ましい。なお、装着時にベルト部２０に適度な強度を持たせるため、複層の不織布の内部にプラスチックシート等を狭持させることとしても良い。
【００２６】
基材シート２１の基端側には、基材シート２１を本体部１０に接合させるための接着部２１ａと、ベルト部２０をＸ方向に伸縮自在とさせる伸縮部２１ｂと、が備えられている。
即ち、基材シート２１は、接着部２１ａを背側部１２に接着することで本体部１０に接合されている。なお、本実施形態においては、基材シート２１は、本体部１０の背側部１２の外面に接着されている。
また、伸縮部２１ｂは、基材シート２１を形成する複層の不織布によって、Ｘ方向に沿って配された糸ゴム等の複数の弾性部材２２を狭持することで形成されており、この弾性部材２２のＸ方向の伸縮力によって、ベルト部２０はＸ方向に沿って伸縮性を有するようになっている。このため、ベルト部２０が、装着者の人体の変化に追随して伸縮することができるようになっている。
なお、伸縮部２１ｂは、素材自体が伸縮する伸縮材によって形成されることとしても良い。即ち、伸縮部２１ｂの素材自体を弾性材によって形成することもできる。
【００２７】
また、図５に示すように、伸縮部２１ｂは、装着時に本体部１０の腹側部１１内面に設けられた第１フックテープ１１１を止着させる第１腹側部止着部Ａ１と、第１腹側部止着部Ａ１より基端側に位置する第１基端部Ａ２と、を備えて構成されている。
つまり、紙おむつ１の装着に際して、第１フックテープ１１１は、伸縮部２１ｂにおける先端部側に止着され、伸縮部２１ｂの第１フックテープ１１１を止着した位置より基端側に、伸縮自在な領域（第１基端部Ａ２）を残すことにより、装着時に腹側部１１をベルト部２０に止着して固定した後にも、ベルト部２０が、装着者の人体の変化に追随して伸縮することができるようになっている。
【００２８】
基材シート２１の先端側の内面には、第３フックテープ２３が備えられている。
第３フックテープ２３は、装着時に固定部３０の伸縮部３１ｂに接合される。なお、この第３フックテープ２３としては、公知の種々のものを利用することが可能であるが、フック状突起としては、例えば、公知のキノコ状、Ｊ字状のもの等を採用することができる。
【００２９】
固定部３０は、背側部１２の他側方１２Ｒに設けられ、装着時には、人体の腹部に巻きつけられたベルト部２０の先端部内面を止着させて固定するよう構成されている。なお、本実施形態においては、固定部３０は、人体に装着した際に、装着者の右手側に位置するように設けられている。
【００３０】
具体的に、この固定部３０は、Ｘ方向に所定の長さを有する基材シート３１を備えている。基材シート３１は、上記したベルト部２０の基材シート２１と同様の種々の素材を使用することができる。
【００３１】
基材シート３１は、基材シート３１を本体部１０に接合させるための接着部３１ａと、固定部３０をＸ方向に伸縮自在とさせる伸縮部３１ｂと、を備えている。
即ち、基材シート３１は、接着部３１ａを背側部１２に接着することで本体部１０に接合されている。なお、本実施形態においては、基材シート３１は、本体部１０の背側部１２の外面に接着されている。
また、伸縮部３１ｂは、基材シート３１を形成する複層の不織布によって、Ｘ方向に沿って配された糸ゴム等の複数の弾性部材３２…を狭持することで形成されており、この弾性部材３２のＸ方向の伸縮力によって、固定部３０はＸ方向に沿って伸縮性を有するように構成されている。これにより、固定部３０が、装着者の人体の変化に追随して伸縮することができるようになっている。
なお、伸縮部３１ｂは、素材自体が伸縮する伸縮材によって形成されることとしても良い。即ち、伸縮部３１ｂの素材自体を弾性材によって形成することもできる。
【００３２】
また、伸縮部３１ｂは、装着時にベルト部２０の第３フックテープ２３を止着させるベルト止着部Ｂ１と、ベルト止着部Ｂ１より基端側に位置し、腹側部１１の第２フックテープ１１２を止着させる第２腹側部止着部Ｂ２と、第２腹側部止着部Ｂ２よりも更に基端側に位置する第２基端部Ｂ３と、を備えて構成されている。
即ち、紙おむつ１の装着に際して、伸縮部３１ｂに第３フックテープ２３及び第２フックテープ１１２を止着させる際、第３フックテープ２３及び第２フックテープ１１２は重ならないようになっている。これによって、止着した部位が厚くなるのを防ぎ、装着感をより良好にすることができるようになっている。
また、伸縮部３１ｂに第３フックテープ２３及び第２フックテープ１１２を止着させる際、第２フックテープ１１２を止着させた部位より更に基端側に伸縮自在な領域（第２基端部Ｂ３）を残すことにより、止着後であっても、固定部３０が、装着者の人体の変化に追随して伸縮することができるようになっている。
【００３３】
次に、紙おむつ１の装着方法について説明する。
紙おむつ１を装着する場合、先ず、紙おむつ１の背側部１２を人体の背面側にあてがった状態で、ベルト部２０を腹部に巻きつけ、腹部の締め付けの度合いを見ながらベルト部２０の先端部の第３フックテープ２３を、固定部３０の伸縮部３１ｂにおけるベルト止着部Ｂ１に接合する。
次に、本体部１０の腹側部１１を、股間を通して腹部側に持ち込み、腹側部１１の内面に設けられた第１フックテープ１１１を、ベルト部２０の伸縮部２１ｂにおける第１腹側部止着部Ａ１に接合する。また、腹側部１１の内面に設けられた第２フックテープ１１２を、固定部３０の伸縮部３１ｂにおける第２腹側部止着部Ｂ２に接合する。
また、第１フックテープ１１１及び第２フックテープ１１２を接合する位置として、背側部１２の端部よりも背側部１２の中心に近い位置であることが好ましい。このようにすることで、腹側部１１と、背側部１２とが重なるように接合されることとなり、人体の側部を好適に覆うことができるようになるためである。
【００３４】
以上のように、本実施の形態による紙おむつ１によれば、ベルト部２０の伸縮部２１ｂにおける第１基端部Ａ２と、固定部３０の伸縮部３１ｂにおける第２基端部Ｂ３と、が伸縮自在となっているため、紙おむつ１は、一旦装着した後に、ベルト部２０の腹部の締め付け調整を行わなくとも装着者の人体に追随して伸縮することができる。従って、着用時の装着感をより向上させることができる。
また、介護者にとっても、一旦装着させた後に、ベルト部２０の腹部の締め付け調整を行う必要がなく、また、ベルト部２０を固定部３０に貼着することで固定できるため、例えばスリットにベルトを通すなどの作業が必要なく、より利便性が高い。
【００３５】
また、固定部３０の基材シート３１は、ベルト止着部Ｂ１、第２腹側部止着部Ｂ２を兼ね備えた一枚の伸縮部材により構成されているため、例えば、基材シート３１上に別部材としてターゲットテープ等を設ける構成と比較して、固定部３０が厚くならず、また製造も容易とすることができる。
【００３６】
また、ベルト部２０及び固定部３０は、本体部１０の外面に設置されているため、本体部１０とベルト部２０及び固定部３０との間にあそびが生じ、装着者の人体により追随し易くすることができる。
【００３７】
また、ベルト部２０は、人体に装着した際に、装着者の左手側に位置するように備えられているため、右利きの介護者にとってより作業性が良い。
なお、ベルト部２０を、人体に装着した際に、装着者の右手側に位置するように備えることも可能であるのは勿論である。
【００３８】
なお、本実施形態においては、ベルト部２０は、その基端側にのみ伸縮部２１ｂを備えた構成であるものとして説明したが、ベルト部２０の全体を伸縮部２１ｂとすることもできる。すなわち、ベルト部２０を伸縮部材で構成してもよい。
【００３９】
また、本実施形態においては、固定部３０の伸縮部３１ｂにおける第２基端部Ｂ３と、ベルト部２０の伸縮部２１ｂにおける第１基端部Ａ２と、の両者が伸縮自在であることとして説明したが、少なくとも何れか一方が伸縮自在であれば良い。即ち、少なくとも一方が伸縮自在であれば、紙おむつ１は、一旦装着した後、ベルト部２０の腹部の締め付け調整を行わなくとも装着者の人体に追随して伸縮することができることとなる。
【００４０】
また、本実施形態においては、ベルト部２０の伸縮部２１ｂを第１腹側部止着部Ａ１として機能させる構成について説明したが、基材シート２１の外面に、第１フックテープ１１１を止着させるターゲットテープを別部材として設ける構成としても良い。
この場合、ターゲットテープは、フック状突起が着脱可能に係止される表面を有するものであり、例えば、公知のメカニカルファスナーの雌材や、基材シートの表面に多数のループ状の糸を固定したものや、不織布等を用いることができる。
【００４１】
また、同様に、本実施形態においては、固定部３０の伸縮部３１ｂをベルト止着部Ｂ１及び第２腹側部止着部Ｂ２として機能させる構成について説明したが、基材シート３１の外面に、第３フックテープ２３及び第２フックテープ１１２を止着させるターゲットテープを別部材として設ける構成としても良い。
【００４２】
また、本実施形態においては、ベルト部２０及び固定部３０は、一枚の基材シートにより構成されたものとして説明したが、複数の部材をＸ方向につなぎ合わせて構成しても良い。
【００４３】
［第２実施形態］
次に、本発明の第２実施形態について、第１実施形態と異なる点を中心に説明する。なお、第１実施形態と同一の構成については同一の符号を付して説明を省略する。
図６、７に示すように、本実施形態の紙おむつ２は、本体部１０と、ベルト部２００と、固定部３００と、を備えており、腹側部１１内面に設けられた第１フックテープ１１１、及び第２フックテープ１１２をベルト部２０上に接合するように構成されている。
【００４４】
ベルト部２００は、先端側まで伸縮自在な伸縮部２１ｃとして構成されている。具体的には、基材シート２１には、全体に亘ってＸ方向に沿った弾性部材が配置されている。
図７に示すように、この伸縮部２１ｃは、装着時に腹側部１１の第２フックテープ１１２を止着させる第２腹側部止着部Ａ３と、第２腹側部止着部Ａ３より基端側に位置し、腹側部１１の第１フックテープ１１１を止着させる第１腹側部止着部Ａ４と、第１腹側部止着部Ａ４より更に基端側に位置する第１基端部Ａ５と、を備えて構成されている。
【００４５】
また、固定部３００の伸縮部３１ｃは、装着時にベルト部２００の第３フックテープ２３を止着させるベルト止着部Ｂ４と、ベルト止着部Ｂ４より基端側に位置し第２基端部Ｂ５と、を備えて構成されている。
【００４６】
以上のように、本実施の形態による紙おむつ２によれば、ベルト部２００の伸縮部２１ｃにおける第１基端部Ａ５と、固定部３００の伸縮部３１ｃにおける第２基端部Ｂ５と、が伸縮自在となっているため、紙おむつ２は、一旦装着した後に、ベルト部２０の腹部の締め付け調整を行わなくとも装着者の人体に追随して伸縮することができる。従って、着用時の装着感をより向上させることができる。
また、ベルト部２００全体を伸縮性にしたため、を装着者の人体により追随し易くすることができる。
【００４７】
なお、本実施形態においては、ベルト部２００の基材シート２１の外面に、第１フックテープ１１１、及び第２フックテープ１１２を止着させるターゲットテープを別部材として設ける構成としても良い。
【符号の説明】
【００４８】
１  紙おむつ
１０  本体部
１１  腹側部
１１１第１フックテープ
１１２第２フックテープ
１２  背側部
１２Ｌ  一側方
１２Ｒ  他側方
２０  ベルト部
２１ｂ  伸縮部
Ａ１  腹側部止着部
Ａ２  第１基端部
２３  第３フックテープ
３０  固定部
３１ｂ  伸縮部
Ｂ１  ベルト止着部
Ｂ２  腹側部止着部
Ｂ３  第２基端部
２  紙おむつ
２００  ベルト部
２１ｃ  伸縮領域
Ａ３  第１腹側部止着部
Ａ４  第２腹側部止着部
Ａ５  第１基端部
３００  固定部
３１ｂ  伸縮部
Ｂ４  ベルト止着部
Ｂ５  第２基端部
【図１】
0005405227.tif 000002
【図２】
0005405227.tif 000003
【図３】
0005405227.tif 000004
【図４】
0005405227.tif 000005
【図５】
0005405227.tif 000006
【図６】
0005405227.tif 000007
【図７】
0005405227.tif 000008